(57)【要約】【課題】  細軸の塗布具でありながら塗布液漏れを解消したコレクター式塗布具を提供する。【解決手段】  先軸１０と先軸１０の後部側の軸本体１２とが嵌合する軸体１４とを有し、軸体１４内の前部にコレクター１６が配置され、軸体１４内の後部に収容空間１４ａ内に塗布液が収容されるコレクター式塗布具において、コレクター１６が先軸１０及び軸本体１２によって覆われて軸体１４内に保持される構造の塗布具。【選択図】図１
2015002984.tif 000002
【特許請求の範囲】
【請求項１】
先軸と先軸の後部側の軸本体とが嵌合する軸体とを有し、軸体内の前部に櫛歯状に形成されたコレクターが配置され、軸体内の後部に収容空間内に塗布液が収容されるコレクター式塗布具において、
コレクターが先軸及び軸本体によって覆われて軸体内に保持される構造であることを特徴とするコレクター式塗布具。
【請求項２】
コレクターの後部の外径は前部の外径よりも太いことを特徴とすることを特徴とする請求項１記載のコレクター式塗布具。
【請求項３】
コレクターの複数枚毎のフィン同士の間には、先軸の内面に当接する厚肉の支持壁が形成され、支持壁によって段階的にコレクターの外径を異ならせたことを特徴とする請求項２記載のコレクター式塗布具。
【請求項４】
コレクターの前部の外周と、先軸内壁とは気密に接していることを特徴とする請求項３に記載のコレクター式塗布具。
【請求項５】
筆記部にコレクター内の中芯を介して収容空間内の塗布液が誘導されるものであり、コレクター後端部から収容空間内に中芯が突出していないことを特徴とする請求項２から４何れか１項記載のコレクター式塗布具。
【請求項６】
筆記部と当接するコレクター先端部に薄肉状の弾性突起を形成したことを特徴とする請求項２から５何れか１項記載のコレクター式塗布具
【請求項７】
筆記部にコレクター内の中芯を介して収容空間内の塗布液が誘導されるものであり、コレクター内の中空部に内側に向けて複数のリブを形成し、この中空部内に中芯が挿入されていることを特徴とする請求項１から６何れか１項記載のコレクター式塗布具
【発明の詳細な説明】
【技術分野】
【０００１】
本発明は、粘度の低い化粧液を収容したコレクター式の塗布具、特にスタイリッシュな外観を重要視するアイライナーに関する。
【背景技術】
【０００２】
従来、コレクター式の塗布具は周知の技術であるが、市場の多様性によって持ち運びやデザイン性を重視することから細身の塗布具が好ましくなっている。
【０００３】
コレクター式の塗布具はインクタンクに中綿を用いた塗布具と比較して使い始めから使い終わりまで安定した流出量を得ることができるが、インクの保持量や空気置換を必要とすることからコレクターはある程度の大きさを必要とするため、細身の塗布具としては不適であった。
【０００４】
そこで、外径が細いことを課題として解決を図ったコレクター式の塗布具が開示されている（実公平８−１０４０５号（特許文献１））。
【０００５】
なお、小型化に関し、コレクター式の筆記具でコレクターのフィン間の距離が０．１ｍｍ〜０．５ｍｍのものが開示されている（特開２００５−７７４０号（特許文献２）の段落〔００１７〕参照）。
【０００６】
また、コレクターの外径が直径７ｍｍ〜８ｍｍ、全長２０ｍｍ〜２８ｍｍである筆記具が開示されている（特開２００５−７７４０号（特許文献３）の段落〔００１５〕、〔００１６〕参照）。
【先行技術文献】
【特許文献】
【０００７】
【特許文献１】実公平８−１０４０５号公報
【特許文献２】特開２００５−７７４０号公報
【特許文献３】特開平１０−１１９４７９号公報
【発明の概要】
【発明が解決しようとする課題】
【０００８】
しかし、特許文献１のコレクター式塗布具では、インクタンクを接続する必要があることによる結果、コレクターが太くなってしまう問題がある。
【０００９】
さらに、細軸のコレクター式塗布具は直流漏れや吹き出しの問題があり、また大型のコレクターにすると塗布量が著しく減少して塗布できる距離が短くなってしまう。
【００１０】
すなわち、特許文献３のように、外径９ｍｍ未満の細軸の粘度の低い塗布液を収容した塗布具は実現することが困難であった。
【００１１】
そこで、本発明は細軸の塗布具でありながら塗布液漏れを解消したコレクター式塗布具を提供することを課題とする。
【課題を解決するための手段】
【００１２】
本発明は、先軸と先軸の後部側の軸本体とが嵌合する軸体とを有し、軸体内の前部に櫛歯状に形成されたコレクターが配置され、軸体内の後部に収容空間内に塗布液が収容されるコレクター式塗布具において、
コレクターが先軸及び軸本体によって覆われて軸体内に保持される構造であることを特徴とするコレクター式塗布具である。
【００１３】
本発明において、コレクターの後部の外径は前部の外径よりも太いことが好適である。
また、コレクターの複数枚毎のフィン同士の間には、先軸の内面に当接する厚肉の支持壁が形成され、支持壁によって段階的にコレクターの外径を異ならせることが好適である。
【００１４】
本発明において、コレクターの前部の外周と、先軸内壁とは気密に接していることが好適である。
【００１５】
本発明において、筆記部にコレクター内の中芯を介して収容空間内の塗布液が誘導されるものであり、コレクター後端部から収容空間内に中芯が突出していないことが好適である。
【００１６】
本発明において、筆記部と当接するコレクター先端部に薄肉状の弾性突起を形成したことが好適である。
【００１７】
本発明において、筆記部にコレクター内の中芯を介して収容空間内の塗布液が誘導されるものであり、コレクター内の中空部に内側に向かう複数のリブを形成し、この中空部内に中芯が挿入されていることが好適である。また、中空部は貫通孔に連通し、貫通孔の反対側に各インク一時貯留部と連通するインク縦溝を有することが望ましい。
【発明の効果】
【００１８】
本発明の塗布具によれば、コレクター式塗布具において、コレクターを先軸及び軸本体とで保持することによって、先軸からコレクターを突出させてコレクターのインク貯留量を確保できるため、コレクターの本来の性能を生かしつつ細軸の塗布具を実現することができる。
【００１９】
なお、本発明において、コレクターの後部の外径は前部の外径よりも太いものとすることによって、コレクターの本来の性能を生かしつつ細軸の塗布具を実現することができる。また、コレクターの複数枚毎のフィン同士の間には、先軸の内面に当接する厚肉の支持壁を形成し、支持壁を介して段階的にコレクターの外径を異ならせることによって、先軸のテーパ形状を容易とし、また支持壁を利用して成形時の際の離型性を向上させることができる。
【００２０】
また、本発明において、コレクターの前部の外周と、先軸内壁とは気密に接することで先軸内部を塗布液貯留部の容積を増やしつつ、塗布部からの塗布液漏洩を防ぐことができる。
【００２１】
また、本発明において、コレクター後端部から中芯という毛管部材が収容空間内に突出していないものにすることによって、軸内の塗布液量を増やすことができる。
【００２２】
また、本発明において、筆記部と当接するコレクター先端部に薄肉状の弾性突起を形成し筆記部の後端面に円周状に当接することで、前記弾性突起の弾性力によって筆記部を柔軟な力で固定することができる。
【００２３】
また、本発明において、コレクターの中空部に内側に向けて複数のリブを突出等して形成し、この中空部内に中芯が挿入されているリブによって中芯を保持することで中空部と中芯との間に空間を設け、したがって、この空間によって空気置換が容易になるようにして、塗布液の塗出能力の向上に寄与することができる。
【００２４】
なお、本発明により、細軸にしても従来の太軸と同様の性能を有する塗布具、特にアイライナーを実現できる。塗布具をアイライナーとした場合、スタイリッシュな外観を備え、コレクター式にすることで使い終わりまで濃く、クッキリとしたアイラインを描くことができる。
【図面の簡単な説明】
【００２５】
【図１】本発明の第１の実施形態に係るコレクター式塗布具の説明図であって、（ａ）が全体斜視図、（ｂ）が全体断面図である。
【図２】同コレクター式塗布具のキャップを外した状態の説明図であって、（ａ）が全体斜視図、（ｂ）が全体断面図である。
【図３】同コレクター式塗布具の筆記部側の部品図であって、（ａ）がスリット側から見た側面図、（ｂ）が同縦断面図、（ｃ）が（ａ）から９０°回転させた状態の側面図、（ｄ）が同縦断面図である。
【図４】同コレクター式塗布具の先軸の部品図であって、（ａ）が前面図、（ｂ）が斜視図、（ｃ）が側面図、（ｄ）が縦断面図、（ｅ）が後面図である。
【図５】同コレクター式塗布具のコレクターの部品図であって、（ａ）が前面図、（ｂ）が側面図、（ｃ）が縦断面図、（ｄ）がスリット側からの側面図、（ｅ）が（ｄ）の状態の縦断面図、（ｆ）が後面図である。
【図６】同コレクター式塗布具のコレクターの斜視図であって、（ａ）が前方からの斜視図、（ｂ）が後方からの斜視図である。
【図７】本発明の他の実施形態（第２の実施形態）に係るコレクター式塗布具の説明図であって、（ａ）が全体側面図、（ｂ）が全体縦断面図である。
【図８】図７に係るコレクター式塗布具のキャップを外した状態の説明図であって、（ａ）が全体側面図、（ｂ）が全体縦断面図、（ｃ）が筆記部からコレクターにかけての部分の拡大縦断面図である。
【図９】本発明のさらに他の実施形態（第３の実施形態）に係るコレクター式塗布具の説明図であって、（ａ）が全体側面図、（ｂ）が全体縦断面図である。
【図１０】図９に係るコレクター式塗布具のキャップを外した状態の説明図であって、（ａ）が全体側面図、（ｂ）が全体縦断面図、（ｃ）が（ｂ）のＣ−Ｃ線に沿う横断面図、（ｄ）が筆記部からコレクターにかけての部分の拡大縦断面図である。
【図１１】同コレクター式塗布具のコレクターの部品図であって、（ａ）が（ｅ）のＡ−Ａ線に沿う横断面図、（ｂ）が（ｅ）のＢ−Ｂ線に沿う横断面図、（ｃ）が前面図、（ｄ）が側面図、（ｅ）が縦断面図、（ｆ）がスリット側からの側面図、（ｇ）が（ｆ）の状態の縦断面図、（ｈ）が後面図である。
【図１２】同コレクター式塗布具のコレクターの斜視図であって、（ａ）が前方からの斜視図、（ｂ）が後方からの斜視図である。
【発明を実施するための形態】
【００２６】
本発明の実施形態について、図面を参照して以下に説明する。
【００２７】
（第１の実施形態）
図１は本発明の第１の実施形態に係るコレクター式塗布具の全体説明図、図２は該コレクター式塗布具のキャップを外した状態説明図、図３は同コレクター式塗布具の筆記部側の部品図、図４は先軸の部品図、図５はコレクターの部品図、図６はコレクターの斜視図である。
【００２８】
図１〜図３に示すように、第１の実施形態に係るコレクター式塗布具は、先軸１０と該先軸１０の後部側の軸本体１２とが嵌合する軸体１４とを有し、軸体１４の前部に枚葉部が軸方向に複数配列された態様の櫛歯状に形成されたコレクター１６が配置され、軸体１４内の後部の収容空間１４ａ内に塗布液が収容されるコレクター式塗布具である。
【００２９】
前記軸体１４の後部の軸本体１２は、内部が連通し前後に開口したパイプ状に形成されている。前記軸体の後部でもある軸本体１２の後部には、尾栓１４ｂが嵌合して軸本体１２の後部が閉鎖されており、該尾栓１４ｂの前端とコレクター１６後端とで挟まれた軸体１４内空間（軸本体１２内空間でもある）が収容空間１４ａになっている。
この収容空間１４ａ内には、中綿等の含浸体を配置せず、直接塗布液が収容されており、また、該塗布液の攪拌をするための攪拌体（ボール等）１４ｃが配置されている。
先軸１０、軸本体１２、コレクター１６、キャップ２０等は樹脂成形品とすることができる。また、攪拌体１４ｃは、金属製、樹脂製等のボール材を用いることができる。
【００３０】
前記コレクター１６は、先軸１０及び軸本体１２によって覆われて保持される構造である。
【００３１】
そして、先軸１０の前端部の開口から、先細のテーパ状を呈した筆体からなる筆記部１８が突出しており、その筆記部１８を覆うキャップ２０が前記先軸１０に着脱自在に嵌合する構造である。前記先軸１０はほぼ円錐側面形状を呈して先細く形成されており、該先軸１０の先端角度は、筆記部１８の先端角度と略同角度に形成することが望ましい。
【００３２】
筆記部１８は、樹脂繊維、天然繊維束、樹脂製多孔質体からなる先細の筆体である。筆記部１８は、後端部がフランジ状に拡径しており、この拡径した箇所が先軸１０内に係合して抜け止めされている。なお、筆記部１８は、筆体が好適であるが、その他、塗布液を塗布する各種塗布体を使用することができる。
【００３３】
キャップ２０内には、筆記部１８の気密性を高めるため覆うカップ状のインナーキャップ２０ａが前後動可能に配置され、このインナーキャップ２０ａを後方に付勢するスプリング２０ｂが配置されている。
【００３４】
中空の先細く形成された先軸１０の内部には、筆記部１８の後方に蛇腹状のコレクター１６が配設されており、このコレクター１６の中空部１６ｄ内に中芯２２が貫通して配置されている。中芯２２は、樹脂繊維束、天然繊維束、樹脂製多孔質体等の毛管部材から構成できる。
【００３５】
中芯２２においては、コレクター１６の後端部から軸体１４の収容空間１４ａ内に中芯２２が突出していない（図１、図２参照）。コレクター１６の後端面に中芯２２の後端面がほぼ一致している。中芯２２を一致させることで、収容空間１４ａ内に中芯２２の後端が突出することがなく、収容空間１４ａ内の容積を確保することができる。また、収容空間１４ａ内に中芯２２の後端が突出することがないので、攪拌体１４ｃが収容空間１４ａ内に設けた場合、攪拌体１４ｃが収容空間１４ａ内で動いても中芯２２に衝突せず中芯２２を変形させることないので、十分に塗布液を浸透することができる。
【００３６】
先軸１０の外周面には、前端部がテーパ形状で、中央部にキャップ２０嵌着時の位置決め用のフランジ１０ａが外径方向に突出形成され、フランジ１０ａの前方にキャップ２０嵌着用の突部１０ｂ１が、後方に軸本体１２嵌着用の突部１０ｂ２が膨出形成されている。また、先軸１０の突部１０ｂ１の前方には、周面を内外に貫通する空気置換孔１０ｃが穿設形成されている（図３参照）。
【００３７】
コレクター１６は、図５、図６に示すように、軸方向の前部には、前端に椀状部１６ａが形成される。また、コレクター１６において、該軸方向の前部から中央部には、複数の櫛歯状のフィンが間隙を置いて配列された前側一時貯留部１６ｂが形成される。また、前記コレクター１６の前記軸方向の後部には、後側一時貯留部１６ｃが形成されている。
【００３８】
また、コレクター１６内には中芯２２が設けられるが、実施形態では、コレクター１６の軸中心付近に壁部が形成され、その壁部中心を貫通して、中空部１６ｄが当該壁部内に形成されている。この中空部１６ｄを形成する壁部外周に塗布液一時貯留用のフィン（前側一時貯留部１６及び後ろ側一時貯留部１６ｃ）が外径方向に展開する複数の薄板状に形成された枚葉体である。当該壁部には、中空部１６ｄとフィンの間隙との間で塗布液を流通可能とする貫通孔２４が径方向に沿って外周から中空部１６ｄ内周に渡って形成されている。
前記貫通孔２４は、支持壁２８に隣接して形成される。詳しくは、貫通孔２４が、支持壁２８とそれに最も近いフィンとの間の壁部に形成されている。
また、インク縦溝（スリット）２６の形成箇所との関係では、前記貫通孔２４は、コレクター１６の軸を挟んでインク縦溝２６の反対側に形成されている。
【００３９】
また、コレクター１６には、前側一時貯留部１６ｂから後側一時貯留部１６ｃにかけて、塗布液をフィン間隙内に誘導するための前記のインク縦溝（スリット）２６が、後端部に露出して（軸体１４の収容空間１４ａ内に露出可能に）形成されている。
【００４０】
また、前側一時貯留部１６ｂ及び後側一時貯留部１６ｃの複数枚毎のフィン同士の間には、先軸１０の内面に当接する厚肉の支持壁２８で適宜に仕切られている。
【００４１】
具体的には、前側一時貯留部１６ｂ及び後側一時貯留部１６ｃのフィンの枚数は、全体で４０〜６０枚で、そのうち、前側一時貯留部１６ｂが比率７５〜８５％で、後側一時貯留部１６ｃの比率が１５〜２５％の枚数とする。フィン同士の間隔は、０．１５〜０．３ｍｍとすることができる。
【００４２】
また、収容空間１４ａ内に収容可能量が０．７（ｍｌ）となっている。軸体１４の外径８．５（ｍｍ）コレクター１６の径６．０（ｍｍ）となっている。
【００４３】
前記の前側一時貯留部１６ｂは、前記椀状部１６ａと同径に形成され、図３に示すように、先軸１０内に嵌入している。また、前記後側一時貯留部１６ｃは、前側一時貯留部１６ｂよりも外径が大径に形成され、図３に示すように、先軸１０の後端から突出した位置に形成され、図１等に示されるよう、軸本体１２の内壁面に隣接するように配置されている。
【００４４】
（第２の実施形態）
図７は本発明の他の実施形態（第２の実施形態）に係るコレクター式塗布具の全体説明図、図８は該コレクター式塗布具のキャップを外した状態説明図である。図７〜図８に示す第２の実施形態に係るコレクター式塗布具では、図１〜図６に示した前記第１の実施形態と同様部分に同一符号を付する。
【００４５】
この第２の実施形態に係るコレクター式塗布具が図１に示した第１の実施形態に係るコレクター式塗布具と異なる構成は、図７、図８に示すように、軸体１４後部の軸本体１２の前後方向の略中央部に中間壁３０を形成した点である。
当該中間壁３０の形成によって軸体１４と尾栓１４ｂとの間から塗布液の流出を防ぐことができる。なお、前記中間壁３０には、径方向中央に前後に突起が突出形成されており、軸本体１２に後部から嵌入する尾栓１４ｂの前端面に凹所が形成されていて、前記後側の突起が凹所で逃げるように形成されている。
【００４６】
また、前記異なる構成としては、コレクター１６の先端部（前端部）、具体的には、椀状部１６ａの前端面には、円周を描く位置に薄肉状の弾性突起３２を前方向きに突出形成したものである。この弾性突起３２は、筆記部１８の後端面に円周状に当接して、前記弾性突起３２の弾性力によって筆記部１８を柔軟な力で固定するものである。
【００４７】
また、コレクター１６の前部外周が、先軸１０内壁とは気密に接している。具体的には、コレクター１６の前部に形成された椀状部１６ａの外周面部は、先軸１０内面に空気置換孔１０ｃに近傍しかつその前方位置に凹凸嵌合する等して当接する気密部（シール部）３４を形成する。気密部３４は、空気置換孔１０ｃの前方に位置するので空気置換孔１０ｃを通った外気がコレクター１６の椀状部１６ａより前の筆記部１８側に流通せず、したがって、当該筆記部１８が乾きにくくなる。もちろん、コレクター１６の前側一時貯留部１６ｂや後側一時貯留部１６ｃに外気が充分流通できるようにしている。
【００４８】
（第３の実施形態）
図９は、本発明のさらに他の実施形態（第３の実施形態）に係るコレクター式塗布具の全体説明図、図１０は該コレクター式塗布具のキャップを外した状態説明図、図１１は該コレクター式塗布具のコレクターの部品図、図１２は該コレクターの斜視図である。図７〜図８に示した第２実施形態に係るコレクター式塗布具と同様部分に同一符号を付している。
【００４９】
この第３の実施形態に係るコレクター式塗布具が、図７〜図８に示した第２の実施形態に係るコレクター式塗布具と異なる構成は、図９、図１０に示すように、尾栓１４ｂが第２の実施形態のものより短く、軸体１４と尾栓１４ｂとの嵌合が軸体１４の後端部のみで当該尾栓１４ｂの嵌合がしている点と、コレクター１６の軸中心の中空部１６ｄと中芯２２との保持において、空間３６が設けられている点である。
【００５０】
図１０に示すように、コレクター１６に中空部１６ｄを形成する壁部には、周方向にほぼ等間隔で三本のリブ（リブの本数は三本以上の複数が好ましい）３８が当該壁部の内面から軸中心に向けて突出形成されている。
【００５１】
前記中空部１６ｄに中芯２２に装着された状態では、前記の三本のリブ３８の突出端が中芯２２に接して支持することによって当該中芯２２が座屈しないように保持する。具体的には、リブ３８は、コレクター１６に中空部１６ｄを形成する壁部の内周面に、当該中空部１６ｄの軸中心に向かって、高さ及び幅が小さく突出し、かつ、コレクター１６の長さ方向に長く（点状や破線状に短くして複数並べてもよい）形成されている。この三本のリブ３８によって、中空部１６ｄ内周面と中芯２２外周面との間に空間３６を設けることによって空気置換を容易とし、液の塗出性能を向上させることができる。
【００５２】
コレクター１６の後端部には、図１１、図１２に示すように、周方向に見てスリット２６の反対側には、切り欠き１６ｅが形成され、前記中空部１６ｄに連続している。コレクター１６の組み付け状態で、コレクター１６の後端部は、軸体１４の収容空間１４ａに面しており、スリット２６と共に切り欠き１６ｅも塗布液に接している。
【００５３】
空気置換の際には、塗布具外部の空気（外気）は、先軸１０の空気置換孔１０ｃから先軸１０内周とコレクター１６外周との間を通って、貫通孔２４を通り前記リブ３８間の空間３６に至る。
この空間３６を通る空気は、前記切り欠き１６ｅ等のコレクター１６の後端部から軸体１４の収容空間１４ａに流通する。
この形態では、液の流通であるスリット２６と空気置換（気液置換）である貫通孔２４がコレクター１６内で異なる位置としている。
したがって、実施形態のコレクター式塗布具の使用によって収容空間１４ａ内の塗布液が少なくなっていくと、上記空間３６を通った通気が収容空間１４ａ内に通じてスムースな空気置換（気液置換）ができる。
【００５４】
また、中芯２２の支持に関して、リブ３８を三本またはそれ以上を形成することによって、中空部１６ｄの内周面にほぼ等間隔で配置形成して中芯２２の曲がりやずれを少なくすることができる。なお、中芯２２が空間３６を形成して曲がりが少なく支持できれば、リブ３８は適宜間隔で形成できることはもちろんである。
【００５５】
以上の第１の実施形態〜第３の実施形態に係るコレクター式塗布具によれば、コレクター１６を先軸１０及び軸本体１２とで保持することによって、先軸１０からコレクター１６を突出させてコレクター１６のインク貯留量を確保できるため、コレクター１６の本来の性能を生かしつつ細軸のコレクター式塗布具を実現することができる。
【００５６】
なお、本発明により、細軸にしても従来の太軸と同様の性能を有するコレクター式塗布具、特にアイライナーを実現できる。アイライナーとした場合、スタイリッシュな外観を備え、コレクター式にすることで使い終わりまで濃く、クッキリとしたアイラインを描くことができる。
【産業上の利用可能性】
【００５７】
本発明は一般の塗布具でも利用可能だが、特に粘度の低いアイライナー液などに利用することができる。
【符号の説明】
【００５８】
１０  先軸
１２  軸本体
１４  軸体
１４ａ  収容空間
１６  コレクター
１６ａ  椀状部
１６ｂ  前側一時貯留部
１６ｃ  後側一時貯留部
１６ｄ  中空部
１８  筆記部
２０  キャップ
２２  中芯
２４  貫通孔
２６  インク縦溝（スリット）
２８  支持壁
３０  中間壁
３２  コレクターの弾性突起
３４  コレクターの気密部
３８  リブ
【図１】
2015002984.tif 000003
【図２】
2015002984.tif 000004
【図３】
2015002984.tif 000005
【図４】
2015002984.tif 000006
【図５】
2015002984.tif 000007
【図６】
2015002984.tif 000008
【図７】
2015002984.tif 000009
【図８】
2015002984.tif 000010
【図９】
2015002984.tif 000011
【図１０】
2015002984.tif 000012
【図１１】
2015002984.tif 000013
【図１２】
2015002984.tif 000014